(57)【要約】      （修正有）【課題】場所を選ばずにソーラパネルを設置でき、太陽光受光角度の調整が可能で、保管や運搬も容易なソーラパネル用スタンドを提供すること。【解決手段】パネル用フレーム１２の２本の縦フレーム１２ａと脚フレーム１３の２本の縦フレーム１３ａを接地してソーラパネル１１を設置面に立てる。路面状況の悪い場所、砂地、草木の生い茂った場所、災害の被災地、山間部、海辺等場所を選ばずに設置できる。四角形のパネル用フレーム１２と、脚フレーム１３と、開脚調整フレーム１４でソーラパネル用スタンド１０を構成する。構造が簡単であるだけでなく、開脚調整フレーム１４をパネル用フレーム１２と脚フレーム１３から取り外し、脚フレーム１３をパネル用フレーム１２に重ね合わせることができるので、保管や運搬が容易である。【選択図】図１
0003217604.tif 000002
【実用新案登録請求の範囲】
【請求項１】
左右２本の縦フレームと、少なくとも上下２本の横フレームを四角形に組み付けて構成したパネル用フレームと、
パネル用フレームの各縦フレームの中間部に上端部を前後方向へ回動可能に組み付けた左右２本の縦フレームと、両縦フレームの下部を連結する横フレームで構成した脚フレームと、
前後方向へ伸縮可能な左右２本の伸縮フレームと、両伸縮フレームを連結する横フレームで構成した開脚調整フレームを備え、
パネル用フレームにソーラパネルを固定し、
各伸縮フレームの前端部をパネル用フレームの下側の横フレームに着脱可能に掛止し、各伸縮フレームの後端部を脚フレームの横フレームに着脱可能に掛止し、
パネル用フレームの２本の縦フレームと脚フレームの２本の縦フレームを接地してソーラパネルを設置面に立て、
伸縮フレームの伸縮寸法を調整することにより、ソーラパネルの太陽光受光角度を調整し、
開脚調整フレームをパネル用フレームと脚フレームから取り外し、脚フレームをパネル用フレームに重ね合わせるようにしたことを特徴とするソーラパネル用スタンド。
【請求項２】
脚フレームに蓄電池を内蔵したバッテリパックを載置することを特徴とする請求項１に記載のソーラパネル用スタンド。
【請求項３】
ソーラパネルを電源とする照明装置の光源の点滅を制御する制御装置をパネル用フレームに着脱可能に取り付けてソーラパネルの裏面に配置すること特徴とする請求項１に記載のソーラパネル用スタンド。
【考案の詳細な説明】
【技術分野】
【０００１】
本考案はソーラパネルを太陽に向けて設置するソーラパネル用スタンドに関する。
【背景技術】
【０００２】
ソーラパネル用スタンドの一形式として、実用新案登録第３１５４２１５号公報には、切り妻屋根の形をしたパネル用フレームにソーラパネルを取り付けたソーラパネル用スタンドが記載されている。
【０００３】
このソーラパネル用スタンドでは、パネル用フレームの前端部の左右角隅部にそれぞれ上下方向へ伸縮可能な前脚フレームが組み付けられている。また、パネル用フレームの後端部の左右角隅部のそれぞれに連結フレームの一端が上下方向へ回動可能に組み付けられている。一方、各前脚フレームには連結フレームの他端が嵌合する複数個の嵌合穴が上下方向に列設されている。
【０００４】
このソーラパネル用スタンドを使用するには、パネル用フレームの後端部を壁面に当接させて支持し、両前脚フレームを接地することにより、壁面に沿って立て掛ける。そして、連結フレームの他端が嵌合する嵌合穴を選択するとともに、両前脚フレームの伸縮長さを調整することにより、ソーラパネルの太陽光受光角度を調整する。
【先行技術文献】
【特許文献】
【０００５】
【特許文献１】実用新案登録第３１５４２１５号公報
【考案の概要】
【考案が解決しようとする課題】
【０００６】
上述した従来のソーラパネル用スタンドはパネル用フレームの後端部を壁面で支持することで壁面に立て掛けるので、壁面や、これに代わるパネル用フレームの後端部の支持面が存在しない場所には設置できない。
また、従来のソーラパネル用スタンドは切り妻屋根の形をしたパネル用フレームが嵩張り、折り畳むことができないため、保管に広いスペースを要し、運搬も容易でない。
本考案はかかる問題点に鑑み、場所を選ばずにソーラパネルを設置でき、太陽光受光角度の調整が可能で、保管や運搬も容易なソーラパネル用スタンドを提供することを目的とする。
【課題を解決するための手段】
【０００７】
本考案に係るソーラパネル用スタンドは、
左右２本の縦フレームと、少なくとも上下２本の横フレームを四角形に組み付けて構成したパネル用フレームと、
パネル用フレームの各縦フレームの中間部に上端部を前後方向へ回動可能に組み付けた左右２本の縦フレームと、両縦フレームの下部を連結する横フレームで構成した脚フレームと、
前後方向へ伸縮可能な左右２本の伸縮フレームと、両伸縮フレームを連結する横フレームで構成した開脚調整フレームを備え、
パネル用フレームにソーラパネルを固定し、
各伸縮フレームの前端部をパネル用フレームの下側の横フレームに着脱可能に掛止し、各伸縮フレームの後端部を脚フレームの横フレームに着脱可能に掛止し、
パネル用フレームの２本の縦フレームと脚フレームの２本の縦フレームを接地してソーラパネルを設置面に立て、
伸縮フレームの伸縮寸法を調整することにより、ソーラパネルの太陽光受光角度を調整し、
開脚調整フレームをパネル用フレームと脚フレームから取り外し、脚フレームをパネル用フレームに重ね合わせるようにしたことを特徴とする。
【０００８】
そして、好ましくは、脚フレームに蓄電池を内蔵したバッテリパックを載置する。
また、好ましくは、ソーラパネルを電源とする照明装置の光源の点滅を制御する制御装置をパネル用フレームに着脱可能に取り付けてソーラパネルの裏面に配置する。  
【考案の効果】
【０００９】
本考案に係るソーラパネル用スタンドは、パネル用フレームの２本の縦フレームと脚フレームの２本の縦フレームを接地してソーラパネルを設置面に立てるので、壁面がない広場や道路、凹凸が激しく路面状況の悪い場所、砂地、草木の生い茂った場所、災害の被災地、山間部、海辺等場所を選ばずに設置できる。
【００１０】
伸縮フレームの伸縮寸法を調整することにより、ソーラパネルの太陽光受光角度を調整できる。
【００１１】
四角形のパネル用フレームと、脚フレームと、開脚調整フレームでソーラパネル用スタンドを構成したので、構造が簡単であるだけでなく、開脚調整フレームをパネル用フレームと脚フレームから取り外し、脚フレームをパネル用フレームに重ね合わせることができるので、保管や運搬が容易である。
【図面の簡単な説明】
【００１２】
【図１】本考案の実施例に係るソーラパネル用スタンドを示す表側から見た斜視図である。
【図２】同ソーラパネル用スタンドを示す裏側から見た斜視図である。
【図３】バッテリパックと制御ボックスを取り付けた同ソーラパネル用スタンドを示す裏側から見た斜視図である。
【図４】バッテリパックと制御ボックスを取り付けた同ソーラパネル用スタンドを示す側面図である。
【実施例】
【００１３】
以下に本考案を図面に基づき説明する。図１〜図４には本考案の一実施例に係るソーラパネル用スタンド１０が示されている。当該ソーラパネル用スタンド１０は、ソーラパネル１１、パネル用フレーム１２、脚フレーム１３、開脚調整フレーム１４を備えている。
【００１４】
パネル用フレーム１２は、左右２本の縦フレーム１２ａと、上下２本の横フレーム１２ｂ及び1本の中間横フレーム１２ｃを四角形に組み付けて構成されている。
【００１５】
ソーラパネル１１の上端部の左右２箇所にＬ字形ブラケット１５が固着されている。このＬ字形ブラケット１５を蝶ネジ１５ａでパネル用フレーム１２の上側の横フレーム１２ｂに固定することにより、ソーラパネル１１の上端部がパネル用フレーム１２の上端部に固定されている。また、ソーラパネル１１の下部に蝶ネジ１６ａでＬ字形ブラケット１６を固定し、Ｌ字形ブラケット１６をパネル用フレーム１２の縦フレーム１２ａに掛止することによりソーラパネル１１の下部がパネル用フレーム１２の下部に固定されている。
【００１６】
脚フレーム１３は左右２本の縦フレーム１３ａと、両縦フレーム１３ａの下部を連結する１本の横フレーム１３ｂで構成されている。各縦フレーム１３ａの上端部はヒンジ１３ｃでパネル用フレーム１２の各縦フレーム１２ａの中間部に前後方向へ回動可能に組み付けられている。
【００１７】
開脚調整フレーム１４は前後方向へ伸縮可能な左右２本の伸縮フレーム１４ａと、両伸縮フレーム１４ａを連結する４本の横フレーム１４ｂ，１４ｃ，１４ｄ，１４ｅで構成されている。伸縮フレーム１４ａはアウターフレーム１４ｆと、アウターフレーム１４ｆに進退可能に挿入されたインナーフレーム１４ｇ及びアウターフレーム１４ｆの上面にネジ付けた蝶ネジ１４ｈで構成されている。アウターフレーム１４ｆからインナーフレーム１４ｇを適宜寸法だけ出し入れし、蝶ネジ１４ｈでアウターフレーム１４ｆに固定することにより伸縮フレーム１４ａの伸縮寸法が設定される。
【００１８】
各伸縮フレーム１４ａの前後両端部にはフック片１４ｉが設けられている。各伸縮フレーム１４ａの前端部のフック片１４ｉをパネル用フレーム１２の下側の横フレーム１２ｂに掛止し、各伸縮フレーム１４ａの後端部のフック片１４ｉを脚フレーム１３の横フレーム１３ｂに掛止することにより、開脚調整フレーム１４がパネル用フレーム１２と脚フレーム１３の間に着脱可能に架設されている。
【００１９】
本実施例に係るソーラパネル用スタンド１０の構成は以上の通りであって、パネル用フレーム１２の２本の縦フレーム１２ａと脚フレーム１３の２本の縦フレーム１３ａを接地してソーラパネル１１を設置面に立てる。そして、図３に示すように、パネル用フレーム１２と脚フレーム１３の間に架設した開脚調整フレーム１４に蓄電池を内蔵したバッテリパック１７を載置し、ベルト１８で開脚調整フレーム１４に固定する。また、必要に応じてソーラパネル１１を電源とする外部照明装置例えば、屋外や野外に設置される電光掲示板、電工看板のＬＥＤ光源の点滅を制御する制御ボックス１９をソーラパネル１１の裏面に取り付ける。制御ボックス１９は裏面の上下両端部に横フレーム１９ａが固定されている。この横フレーム１９ａの左右両端部をパネル用フレーム１２の縦フレーム１２ａとソーラパネル１１の間に差し込み、制御ボックス１９の下端部をパネル用フレーム１２の中間横フレーム１２ｃに係止することにより制御ボックス１９がソーラパネル１１の裏面に取り付けられている。
【００２０】
図４に示すように、ソーラパネル１１の太陽光受光角度は伸縮フレーム１４ａの伸縮寸法を調整することにより調整される。
【００２１】
本実施例に係るソーラパネル用スタンド１０は、パネル用フレーム１２の２本の縦フレーム１２ａと脚フレーム１３の２本の縦フレーム１３ａを接地してソーラパネル１１を設置面に立てるので、壁面がない広場や道路、凹凸が激しく路面状況の悪い場所、砂地、草木の生い茂った場所、災害の被災地、山間部、海辺等場所を選ばずに設置できる。
【００２２】
四角形のパネル用フレーム１２と、脚フレーム１３と、開脚調整フレーム１４でソーラパネル用スタンド１０を構成したので、構造が簡単であるだけでなく、開脚調整フレーム１４をパネル用フレーム１２と脚フレーム１３から取り外し、脚フレーム１３をパネル用フレーム１２に重ね合わせることができるので、保管や運搬が容易である。
【符号の説明】
【００２３】
１０…ソーラパネル用スタンド
１１…ソーラパネル
１２…パネル用フレーム
１２ａ…縦フレーム
１２ｂ…横フレーム
１３…脚フレーム
１３ａ…縦フレーム
１３ｂ…横フレーム
１３ｃ…ヒンジ
１４…開脚調整フレーム
１４ａ…伸縮フレーム
１４ｂ，１４ｃ，１４ｄ，１４ｅ…横フレーム
１７…バッテリパック
１９…制御ボックス
【図１】
0003217604.tif 000003
【図２】
0003217604.tif 000004
【図３】
0003217604.tif 000005
【図４】
0003217604.tif 000006